(57)【要約】【課題】複雑な制御を不要とし、かつ、簡単な構成で精度よく干渉像を多重記録する。【解決手段】変調手段３にて変調されて出射される情報光Ｌ１は、フーリエ変換光学系４および光路シフタ２０を介して記録媒体７に導かれる。記録媒体７では、上記情報光Ｌ１と、他の光路で記録媒体７に導かれる参照光Ｌ２との干渉により、干渉像が記録される。光路シフタ２０の偏向手段２１は、空隙を介して互いに対向配置される一対のプリズム３１ａ・３１ｂを有している。プリズム３１ａ・３１ｂを透過する情報光Ｌ１の光路は、上記光軸と垂直な方向に平行シフトする。したがって、シフタ駆動部２２により、偏向手段２１を、フーリエ変換光学系４の光軸回りに回転させることにより、情報光Ｌ１の光路を、干渉像の記録ごとに、フーリエ変換光学系４の光軸と垂直な方向にずらした状態で上記光軸回りにシフトさせることができる。【選択図】図１
2008070419.tif 000002
【特許請求の範囲】
【請求項１】
可干渉性の光を出射する光源と、
入射光を変調し、記録媒体に記録すべき情報を有する情報光として出射する変調手段と、
上記光源から出射された光を２つに分離し、その一方を上記変調手段に導き、他方を参照光として上記記録媒体に導く分離光学系と、
上記変調手段から出射される光を上記記録媒体に導くフーリエ変換光学系とを備え、上記情報光と上記参照光とを干渉させて上記記録媒体に干渉像を記録する情報記録装置であって、
上記フーリエ変換光学系から上記記録媒体に導かれる光の光路を、上記干渉像の記録ごとに、上記フーリエ変換光学系の光軸と垂直な方向にずらした状態で上記光軸回りにシフトさせる光路シフト手段を備えていることを特徴とする情報記録装置。
【請求項２】
上記記録媒体に入射する参照光は、平行光であることを特徴とする請求項１に記載の情報記録装置。
【請求項３】
可干渉性の光を出射する光源と、
上記光源から出射される光の一部を変調し、記録媒体に記録すべき情報を有する情報光として出射するとともに、上記光の残りを必要に応じて変調し、参照光として出射する変調手段と、
上記変調手段から出射される光を上記記録媒体に導くフーリエ変換光学系とを備え、上記情報光と上記参照光とを干渉させて上記記録媒体に干渉像を記録する情報記録装置であって、
上記フーリエ変換光学系から上記記録媒体に導かれる光の光路を、上記干渉像の記録ごとに、上記フーリエ変換光学系の光軸と垂直な方向にずらした状態で上記光軸回りにシフトさせる光路シフト手段を備えていることを特徴とする情報記録装置。
【請求項４】
上記変調手段の光入射領域は、上記光源から出射される光の一部が入射する第１の入射領域と、上記光の残りが入射する第２の入射領域とに分割されていることを特徴とする請求項３に記載の情報記録装置。
【請求項５】
上記光路シフト手段は、
上記フーリエ変換光学系から上記記録媒体に導かれる光の光路を、上記フーリエ変換光学系の光軸と垂直な方向に平行移動させる偏向手段と、
上記偏向手段を、上記干渉像の記録ごとに、上記フーリエ変換光学系の光軸回りに回転させる駆動手段とを有していることを特徴とする請求項１から４に記載の情報記録装置。
【請求項６】
上記偏向手段は、空隙を介して互いに対向配置される一対の偏向光学素子を有しており、
一方の偏向光学素子は、他方の偏向光学素子を上記フーリエ変換光学系の光軸回りに１８０度回転させたものと上記光軸に垂直な面に対して面対称となるように配置されていることを特徴とする請求項５に記載の情報記録装置。
【請求項７】
上記一対の偏向光学素子は、それぞれプリズムで構成されていることを特徴とする請求項６に記載の情報記録装置。
【請求項８】
上記一対の偏向光学素子は、それぞれ回折光学素子で構成されていることを特徴とする請求項６に記載の情報記録装置。
【請求項９】
上記偏向手段は、光入射側の面および光射出側の面にブレーズがそれぞれ形成された回折光学素子を有しており、
上記回折光学素子の光射出側の面は、光入射側の面を上記フーリエ変換光学系の光軸回りに１８０度回転させたものと上記光軸に垂直な面に対して面対称となるように配置されていることを特徴とする請求項５に記載の情報記録装置。
【請求項１０】
上記フーリエ変換光学系から上記記録媒体に導かれる光の光路が上記光路シフト手段によって上記フーリエ変換光学系の光軸回りに１回転するごとに、上記記録媒体をシフトさせる記録媒体シフト手段をさらに備えていることを特徴とする請求項１から９のいずれかに記載の情報記録装置。
【発明の詳細な説明】
【技術分野】
【０００１】
本発明は、情報光と参照光とを干渉させることにより、記録媒体の記録面に干渉像を記録する情報記録装置に関するものである。
【背景技術】
【０００２】
従来から、記録媒体の記録面に情報を干渉像として記録したり、あるいは干渉像として記録された情報を再生する装置が種々提案されている。そのうちのいくつかは、例えば非特許文献１に開示されている。
【０００３】
図１３は、非特許文献１に開示された情報記録装置の主要部の構成を模式的に示す説明図である。この装置では、図示しない光源から射出された光が、ビームスプリッタ１０１にて２つの光束に分離される。そのうちの一方の光は、ＳＬＭ（Spatial Light Modulator）１０２に表示されたパターンに応じて変調され、情報光として出射される。そして、その情報光は、対物レンズ１０３を介して記録媒体１０４に入射する。一方、ビームスプリッタ１０１にて分離された他方の光は、レンズおよびミラーなどの光学部材を介して参照光として記録媒体１０４に入射する。記録媒体１０４では、情報光と参照光とが干渉し、上記表示パターンに応じた情報が干渉像（干渉縞）として記録される。
【０００４】
また、記録媒体１０４に対して記録時と同じ方向から参照光を照射すると、記録媒体１０４から光が再生される。この光は、対物レンズ１０５を介して例えばＣＭＯＳからなる受光素子１０６上に結像される。これにより、記録媒体１０４に記録された情報を２次元イメージとして読み出す（再生する）ことができる。
【０００５】
一方、図１４（ａ）（ｂ）は、非特許文献１に開示された他の情報記録装置の主要部の構成を模式的に示す斜視図である。この装置では、情報の記録時には、同図（ａ）に示すように、ＳＬＭ２０１の中央部に情報光用のパターン２０１ａを表示させる一方、周辺部に参照光用のパターン２０１ｂを表示させ、このＳＬＭ２０１に光源（図示せず）からのレーザ光を照射する。すると、ＳＬＭ２０１からは、情報光（レーザ光の中央部の光）と参照光（レーザ光の周辺部の光）とが出射される。これらの光は、対物レンズ２０２にて収束され、記録媒体２０３の記録面に集光する。このとき、情報光と干渉光とが干渉することにより、パターン２０１ａに応じた情報が干渉像として上記記録面に記録される。
【０００６】
一方、情報の再生時には、同図（ｂ）に示すように、記録時と同じ参照光用のパターン２０１ｂのみをＳＬＭ２０１に表示させ、光源からのレーザ光を照射する。この場合、ＳＬＭ２０１からは参照光だけが出射され、ビームスプリッタ２０４および対物レンズ２０２を介して記録媒体２０３に照射される。すると、記録媒体２０３からは干渉像として記録されている情報を有する光が再生される。再生光は、対物レンズ２０２方向に戻ってビームスプリッタ２０４で向きを変え、受光素子２０５にて受光される。受光素子２０５では、再生像が２次元イメージとして検出される。
【０００７】
【非特許文献１】堀米秀嘉等、離陸間近のホログラフィック媒体，２００６年に２００Ｇバイトを実現、日経エレクトロニクス、日経ＢＰ社、２００５年１月１７日、第８９１号、ｐ．１０５−１１４
【発明の開示】
【発明が解決しようとする課題】
【０００８】
ところで、上記のようなホログラフィック技術を用いて記録媒体に情報を記録する場合、例えば、図１５に示すように、干渉像３０１の記録ごとに記録媒体３０２を微小量ずつシフトさせることにより、干渉像３０１を多重記録することができ、これによって記録媒体３０２の記録容量を増大させることができる。また、このようなシフト多重記録方式では、記録媒体３０２の回転および平行シフトにより、図１６に示すように、スポットＳが螺旋状に並ぶように干渉像３０１を記録したり、図１７に示すように、スポットＳが同心円状に並ぶように干渉像３０１を記録することができる。
【０００９】
しかし、記録媒体は一般的に大型であるがゆえに、記録媒体を回転させて干渉像を多重記録する場合には、回転時の記録媒体の状態（記録媒体のたわみ、偏芯、あおりなど）が、干渉像の記録に大きく影響する。このため、干渉像を精度よく記録するためには、記録媒体の状態を常に加味した回転制御を行う必要があり、制御が複雑になるとともに装置の構成も複雑になるという問題が生ずる。
【００１０】
本発明は、上記の問題点を解決するためになされたものであって、その目的は、複雑な制御を不要とし、かつ、簡単な構成で精度よく干渉像を多重記録することができる情報記録装置を提供することにある。
【課題を解決するための手段】
【００１１】
本発明の情報記録装置は、可干渉性の光を出射する光源と、入射光を変調し、記録媒体に記録すべき情報を有する情報光として出射する変調手段と、上記光源から出射された光を２つに分離し、その一方を上記変調手段に導き、他方を参照光として上記記録媒体に導く分離光学系と、上記変調手段から出射される光を上記記録媒体に導くフーリエ変換光学系とを備え、上記情報光と上記参照光とを干渉させて上記記録媒体に干渉像を記録する情報記録装置であって、上記フーリエ変換光学系から上記記録媒体に導かれる光の光路を、上記干渉像の記録ごとに、上記フーリエ変換光学系の光軸と垂直な方向にずらした状態で上記光軸回りにシフトさせる光路シフト手段を備えていることを特徴としている。
【００１２】
上記の構成によれば、光源から出射された光は、分離光学系にて２つの光に分離され、その一方の光は変調手段に導かれ、他方の光は参照光として記録媒体に導かれる。変調手段にて変調された光は、情報光として出射され、フーリエ変換光学系を介して記録媒体に導かれる。記録媒体には、情報光と参照光との干渉によって干渉像（干渉縞）が記録される。
【００１３】
ここで、フーリエ変換光学系から出射される光の光路は、光路シフト手段により、干渉像の記録ごとに、フーリエ変換光学系の光軸と垂直な方向にずれた状態で、その光軸回りにシフトされる。これにより、記録媒体をシフトさせることなく、干渉像のシフト多重記録を実現することができる。例えば、干渉像の記録ごとに、上記光路をフーリエ変換光学系の光軸回りに１度ずつシフトさせれば、上記光軸回りに３６０個の干渉像を多重記録することが可能となる。
【００１４】
記録媒体をシフトさせる場合には、記録媒体のたわみなどの外的な要因（記録媒体の状態）が干渉像の記録に大きな影響を与えるが、本発明によれば、光路シフト手段での光路シフトにより、記録媒体を静止させた状態で干渉像を多重記録することができるので、記録に影響を与える外的要因を元から除外した状態で干渉像を記録することができる。その結果、上記外的要因の影響を低減するための複雑な制御は不要となり、光路シフト手段を設けるという簡単な構成で、記録媒体に干渉像を精度よく多重記録することができる。
【００１５】
このとき、上記記録媒体に入射する参照光は、平行光であることが望ましい。この場合、複数の干渉像を記録媒体に記録する際に、各干渉像に対応する情報光を全て、同一方向から入射する参照光と干渉させて干渉像を記録することができ、装置の構成が簡素になる。
【００１６】
また、本発明の情報記録装置は、可干渉性の光を出射する光源と、上記光源から出射される光の一部を変調し、記録媒体に記録すべき情報を有する情報光として出射するとともに、上記光の残りを必要に応じて変調し、参照光として出射する変調手段と、上記変調手段から出射される光を上記記録媒体に導くフーリエ変換光学系とを備え、上記情報光と上記参照光とを干渉させて上記記録媒体に干渉像を記録する情報記録装置であって、上記フーリエ変換光学系から上記記録媒体に導かれる光の光路を、上記干渉像の記録ごとに、上記フーリエ変換光学系の光軸と垂直な方向にずらした状態で上記光軸回りにシフトさせる光路シフト手段を備えていることを特徴としている。
【００１７】
上記の構成によれば、光源から出射される光の一部は、変調手段にて変調され、情報光として出射される。一方、上記光の残りは、変調手段にて必要に応じて変調され、参照光として出射される。変調手段から出射される光（情報光、参照光）は、フーリエ変換光学系を介して記録媒体に導かれ、互いの干渉によって干渉像が記録される。
【００１８】
ここで、フーリエ変換光学系から出射される光の光路は、光路シフト手段により、干渉像の記録ごとに、フーリエ変換光学系の光軸と垂直な方向にずれた状態で、その光軸回りにシフトされる。これにより、記録媒体を静止させた状態で干渉像を多重記録することができる。記録媒体をシフトさせる場合には、記録媒体のたわみなどの外的な要因（記録媒体の状態）が干渉像の記録に大きな影響を与えるが、本発明によれば、そのような外的要因を元から除外した状態で干渉像を記録することができる。その結果、上記外的要因の影響を低減するための複雑な制御は不要となり、光路シフト手段を設けるという簡単な構成で、記録媒体に干渉像を精度よく多重記録することができる。
【００１９】
また、上記構成の情報記録装置においては、上記変調手段の光入射領域が、上記光源から出射される光の一部が入射する第１の入射領域と、上記光の残りが入射する第２の入射領域とに分割されていてもよい。
【００２０】
この構成では、光源から出射される光の一部は、変調手段の第１の入射領域に入射し、そこで変調されて情報光として出射される。一方、上記光の残りは、変調手段の第２の入射領域に入射し、そこで必要に応じて変調されて参照光として出射される。なお、第１の入射領域と第２の入射領域とは、同心円状に形成されていてもよいし、フーリエ変換光学系の光軸を含む面で対称となる形状で形成されていてもよい。
【００２１】
このように、１つの変調手段の光入射領域を、情報光生成用（第１の入射領域）と参照光生成用（第２の入射領域）とに分割して使用するので、変調手段から出射される情報光と参照光とは、同軸または隣接した光路で記録媒体に導かれる。したがって、互いの光路が離れた状態で情報光と参照光とを記録媒体に導く構成に比べて、装置をコンパクトに構成することができる。
【００２２】
また、本発明においては、上記光路シフト手段は、上記フーリエ変換光学系から上記記録媒体に導かれる光の光路を、上記フーリエ変換光学系の光軸と垂直な方向に平行移動させる偏向手段と、上記偏向手段を、上記干渉像の記録ごとに、上記フーリエ変換光学系の光軸回りに回転させる駆動手段とを有している構成であってもよい。
【００２３】
この構成では、偏向手段によって上記光路を平行移動させながら、駆動手段によって上記偏向手段を上記光軸回りに回転させることにより、記録媒体をシフトさせることなく、複数の干渉像を上記光軸回りに多重記録することが可能となる。
【００２４】
このとき、上記偏向手段は、空隙を介して互いに対向配置される一対の偏向光学素子を有しており、一方の偏向光学素子は、他方の偏向光学素子を上記フーリエ変換光学系の光軸回りに１８０度回転させたものと上記光軸に垂直な面に対して面対称となるように配置されていてもよい。
【００２５】
偏向手段を構成する一対の偏向光学素子を上記のように配置することにより、変調手段からフーリエ変換光学系を介して偏向手段に入射した光線を全て（変調手段の各画素で回折された光線も含む）、フーリエ変換光学系の光軸と垂直な方向で、かつ、同じ方向に平行移動させることができる。したがって、光路シフトによる収差の増大もなく、光路シフトによる性能劣化は生じない。
【００２６】
ここで、上記一対の偏向光学素子は、それぞれプリズムで構成されていてもよい。この場合は、プリズムという一般的な光学素子を用いて精度よく偏向手段を構成することができる。また、上記一対の偏向光学素子は、それぞれ回折光学素子で構成されていてもよい。この場合は、偏向手段を薄型化することができる。
【００２７】
また、上記偏向手段は、光入射側の面および光射出側の面にブレーズがそれぞれ形成された回折光学素子を有しており、上記回折光学素子の光射出側の面は、光入射側の面を上記フーリエ変換光学系の光軸回りに１８０度回転させたものと上記光軸に垂直な面に対して面対称となるように配置されていてもよい。
【００２８】
偏向手段の回折光学素子は両面ブレーズ型であるが、その光入射側の面および光射出側の面の位置関係を上記のように規定することにより、変調手段からフーリエ変換光学系を介して偏向手段に入射した光線を全て（変調手段の各画素で回折された光線も含む）、フーリエ変換光学系の光軸と垂直な方向で、かつ、同じ方向に平行移動させることができる。したがって、光路シフトによる収差の増大もなく、光路シフトによる性能劣化は生じない。また、１個の回折光学素子で上記効果を得ることができ、偏向手段の構成を簡素化することができる。
【００２９】
また、本発明においては、上記フーリエ変換光学系から上記記録媒体に導かれる光の光路が上記光路シフト手段によって上記フーリエ変換光学系の光軸回りに１回転するごとに、上記記録媒体をシフトさせる記録媒体シフト手段をさらに備えていてもよい。
【００３０】
この構成では、光路シフト手段による光路シフトと、記録媒体シフト手段による記録媒体のシフトとの併用により、干渉像が多重記録されるので、記録媒体のシフトのみによって多重記録を行う場合に比べて、同一記録密度（同一の干渉像の記録数）を実現する際の記録媒体のシフト回数は、格段に減る。したがって、高密度記録を実現するにあたり、回転時の記録媒体の状態の影響を極力低減した状態で干渉像を記録することができる。
【発明の効果】
【００３１】
本発明によれば、記録媒体を極力シフトさせることなく、干渉像を多重記録することができるので、干渉像の記録に影響を与える外的要因を除外した状態で干渉像を記録することができる。その結果、上記外的要因の影響を低減するための複雑な制御は不要となり、光路シフト手段を設けるという簡単な構成で、記録媒体に干渉像を精度よく多重記録することができる。
【発明を実施するための最良の形態】
【００３２】
〔実施の形態１〕
本発明の実施の一形態について、図面に基づいて説明すれば、以下の通りである。
【００３３】
（１．情報記録装置の概略について）
図２は、本実施形態に係る情報記録装置の全体の構成を示す説明図である。この情報記録装置は、情報光Ｌ１と参照光Ｌ２とを干渉させることにより、記録媒体７に情報を干渉像として記録したり、記録された干渉像が有する情報を再生するものであり、光源１と、分離光学系２と、変調手段３と、フーリエ変換光学系４・５と、読出手段６とを備えている。
【００３４】
なお、フーリエ変換光学系４と記録媒体７との間の光路中には、本発明の特徴である光路シフタ２０（図１参照）が配置されており、記録媒体７とフーリエ変換光学系５との間の光路中にも光路シフタ２０と同等のものが配置されているが、図２では、これらの図示を省略している。また、光路シフタ２０の詳細については後述する。
【００３５】
光源１は、可干渉性の光を出射するレーザ光源で構成されている。分離光学系２は、光源１から出射された光を２つの光束に分離し、その一方を変調手段３に導き、他方を参照光Ｌ２として記録媒体７に導く光学系である。
【００３６】
より具体的には、分離光学系２は、ハーフミラー１１と、コリメータレンズ１２・１３とを有している。ハーフミラー１１は、光源１から出射された光を２つの光束に分離し、その一方を透過させ、他方を反射させる。コリメータレンズ１２は、ハーフミラー１１を透過した光を平行光に変換し、変調手段３に導く。コリメータレンズ１３は、ハーフミラー１１にて反射された光を平行光に変換し、参照光Ｌ２として記録媒体７に導く。なお、参照光Ｌ２の光路中には、その他のレンズや反射ミラー等の光学素子が配置されていてもよい。また、記録媒体７に最終的に入射する参照光Ｌ２は、本実施形態では平行光となっている。
【００３７】
変調手段３は、分離光学系２を介して入射する光を変調し、記録媒体７に記録すべき情報を有する情報光Ｌ１として出射するものであり、本実施形態では、例えば透過型の液晶表示装置からなる光変調素子（空間位相変調器）で構成されている。変調手段３には、記録媒体７に記録すべき情報が各画素のＯＮ／ＯＦＦによって表される２次元データとして表示される。
【００３８】
フーリエ変換光学系４は、変調手段３から出射される光をフーリエ変換して記録媒体７に導く光学系である。一方、フーリエ変換光学系５は、記録媒体７から再生される光を逆フーリエ変換して読出手段６に導く光学系である。これらのフーリエ変換光学系４・５は、ともにテレセントリック光学系を構成している。また、フーリエ変換光学系４・５は、光路シフタ２０で発生する球面収差などを補正するよう設計されていることが望ましい。
【００３９】
読出手段６は、干渉像の記録時と同じ参照光Ｌ２を記録媒体７に照射したときに記録媒体７から再生される光を読出面にて受光することにより、上記干渉像として記録されている情報を読み出すものであり、例えば２次元のＣＭＯＳ型イメージセンサと制御部とで構成されている。
【００４０】
また、本実施形態の情報記録装置は、ディスク駆動部８（図１参照）をさらに備えている。このディスク駆動部８は、記録媒体７をシフト（例えば回転）させるものであるが、後述する光路シフタ２０による光路シフトと併せて記録媒体７をシフトさせる目的で設けられている。なお、その詳細については後述する。
【００４１】
上記の構成において、光源１から出射された光は、分離光学系２のハーフミラー１１で２つの光束に分離される。そして、そのうちの一方の光は、コリメータレンズ１２で平行光に変換された後、変調手段３にて表示データに応じて変調され、情報光Ｌ１として出射される。また、変調手段３に入射した光は、各画素を透過する際に、画素サイズに応じた角度に回折される。変調手段３にて変調され、回折された情報光Ｌ１は、フーリエ変換光学系４および後述する光路シフタ２０を介して記録媒体７に入射する。
【００４２】
一方、ハーフミラー１１で分離された他方の光は、コリメータレンズ１３で平行光に変調された後、反射ミラー等の光学素子を介して、参照光Ｌ２として記録媒体７に入射する。記録媒体７では、情報光Ｌ１と参照光Ｌ２との干渉によって干渉像（干渉縞）が記録される。
【００４３】
上記干渉像が有する情報を再生する際には、干渉像が記録された記録媒体７に対して記録時と同一方向から参照光Ｌ２を照射することにより、記録媒体７から上記情報を有する光Ｌ１’を再生する。この再生光Ｌ１’は、光路シフタを介してフーリエ変換光学系５に入射し、そこで逆フーリエ変換された後、読出手段６の読出面にて受光される。これにより、再生像が２次元のイメージデータとして検出される。
【００４４】
（２．光路シフタについて）
次に、光路シフタ２０について説明する。なお、ここでは、フーリエ変換光学系４と記録媒体７との間の光路中に配置される光路シフタ２０について説明するが、記録媒体７とフーリエ変換光学系５との間の光路中に配置される光路シフタもこれと同様の構成を採用することができる。
【００４５】
図１は、本実施形態の情報記録装置の主要部の概略の構成を示す説明図である。本情報記録装置が有する光路シフタ２０は、フーリエ変換光学系４から記録媒体７に導かれる光（情報光Ｌ１）の光路を、干渉像の記録ごとに、フーリエ変換光学系４の光軸と垂直な方向にずらした状態で上記光軸回りにシフトさせる光路シフト手段である。この光路シフタ２０は、偏向手段２１と、シフタ駆動部２２とで構成されている。
【００４６】
偏向手段２１は、フーリエ変換光学系４から記録媒体７に導かれる光の光路を、フーリエ変換光学系４の光軸と垂直な方向に平行移動させるものであり、本実施形態では、偏向光学素子である一対のプリズム３１ａ・３１ｂと、保持枠３２とで構成されている。
【００４７】
プリズム３１ａ・３１ｂは、同一形状であり、空隙を介して互いに対向配置されている。しかも、プリズム３１ｂは、プリズム３１ａをフーリエ変換光学系４の光軸回りに１８０度回転させたものと上記光軸に垂直な面に対して面対称となるように配置されている。なお、プリズム３１ａ・３１ｂの表面には、無反射コーティングが施されている。
【００４８】
保持枠３２は、プリズム３１ａ・３１ｂを保持する枠であり、フーリエ変換光学系４の光軸回りに沿って形成されている。したがって、プリズム３１ａ・３１ｂは、保持枠３２よりも内側（上記光軸側）に位置している。
【００４９】
シフタ駆動部２２は、干渉像の記録ごとに、フーリエ変換光学系４の光軸回りに（上記光軸を回転軸として）偏向手段２１を回転させる駆動手段であり、例えばギアやモータで構成されている。例えば、保持枠３２の外面をギア形状（凹凸状）に形成しておき、これとシフタ駆動部２２のギアとを噛み合わせるようにすることで、モータの回転力を偏向手段２１に伝達することができ、偏向手段２１を上記光軸回りに回転させることが可能となる。
【００５０】
このように光路シフタ２０を構成することで、フーリエ変換光学系４からの情報光Ｌ１は、偏向手段２１のプリズム３１ａ・３１ｂを透過する際に屈折する。このとき、フーリエ変換光学系４はテレセントリック光学系であるので、変調手段３の任意の画素から出射された光（０次、±１次・・・の回折光）は、フーリエ変換光学系４を透過した後、各次数の回折光同士で平行となる。このことは、変調手段３のどの画素から出射された光についても言えることである（どの像高においても、０次、±１次・・・の回折光同士で平行となる）。したがって、変調手段３から出射された情報光Ｌ１がプリズム３１ａ・３１ｂを透過することにより、情報光Ｌ１の光路はフーリエ変換光学系４の光軸に垂直な方向に平行シフトする。このように光路がシフトされた情報光Ｌ１と、参照光Ｌ２とが干渉することにより、記録媒体７に干渉像が記録される。
【００５１】
ここで、例えば、図３は、偏向手段２１を上記光軸を中心に１８０度回転させる前後における、記録媒体７に入射する光の光路を示している。なお、回転前の偏向手段２１のプリズム３１ａ・３１ｂおよびこれらを透過する光の光路を実線で示し、その状態から１８０度回転した後のプリズム３１ａ・３１ｂおよびこれらを透過する光の光路を破線で示している。また、同図中の一点鎖線は、フーリエ変換光学系４の光軸を示している。
【００５２】
上述したように、偏向手段２１は、一対のプリズム３１ａ・３１ｂを空隙を介して対向配置して構成されているので、フーリエ変換光学系４の光軸を中心とするプリズム３１ａ・３１ｂの回転位置によっては、情報光Ｌ１の光路がシフトされる方向は、上記光軸に垂直な様々な方向のうちで異なる。したがって、シフタ駆動部２２により、フーリエ変換光学系４の光軸を回転軸として偏向手段２１を回転させることにより、干渉像の記録位置を上記光軸回りにシフトさせることができる。
【００５３】
図４は、干渉像の記録ごとに偏向手段２１を上記光軸回りに回転させて複数の干渉像を多重記録していく様子を模式的に示す平面図である。このように、干渉像の記録ごとに偏向手段２１を上記光軸を中心に一定の回転角で回転させることにより、干渉像の記録スポットＳ１、Ｓ２、Ｓ３、・・・の位置を、上記光軸を中心に一定の間隔で円状にシフトさせて複数の干渉像を多重記録することができる。例えば、干渉像の記録ごとに、偏向手段２１を上記光軸回りに１度ずつ回転させれば、上記光軸回りに３６０個の干渉像を多重記録することができる。
【００５４】
なお、干渉像を上記光軸回りに多重記録するためには、偏向手段２１の回転による干渉像の上記光軸回りのシフト量は、干渉像の記録スポットの直径よりも小さいことが必要であるので、そのようなシフト量に対応して偏向手段２１の回転角を設定すればよい。また、記録スポット位置が完全に重なると、分離した読み出しができなくなるので、記録スポット位置が重ならないように偏向手段２１の回転角を制御する必要がある。
【００５５】
偏向手段２１が１回転すると、次に、ディスク駆動部８（図１参照）によって記録媒体７を所定角度回転させて静止させることで、上記と同様の工程を行うことが可能となる。図５は、記録媒体７を回転させる前後で記録された複数の干渉像の記録スポットを模式的に示す平面図である。このように記録媒体７を回転させて記録円（偏向手段２１の１回転に対応する複数の記録スポットで形成される円）の中心をシフトさせることで、記録媒体７の回転前に記録された干渉像の記録位置とは異なる位置に、再度光路シフトによって複数の干渉像を多重記録することが可能となる。以降、ディスク駆動部８により、情報光Ｌ１の光路が光路シフタ２０によってフーリエ変換光学系４の光軸回りに１回転するごとに、記録媒体７をシフトさせればよい。
【００５６】
なお、以上では、光路シフタ２０の偏向手段２１を回転させることによって記録媒体７に干渉像を記録する場合について説明したが、干渉像として記録された情報を再生する場合には、読み出し側の光路シフタの偏向手段を同様に回転させて、参照光Ｌ２の照射によって再生された光の光路をシフトさせればよい。
【００５７】
以上のように、本実施形態では、光路シフタ２０によって、干渉像の記録ごとに、情報光Ｌ１の光路をフーリエ変換光学系４の光軸と垂直な方向にずらした状態で上記光軸回りにシフトさせるので、記録媒体７を静止させた状態でも、干渉像のシフト多重記録を実現することができる。光路シフタ２０は、記録媒体７に比べて小さな部品であるので、シフト多重記録を実現するにあたり、記録媒体７をシフトさせる場合のような、記録に悪影響を与える要因（例えば記録媒体のたわみなど）を考慮しなくても済む。したがって、記録に悪影響を与える外的要因を元から排除した状態で干渉像を記録することができるので、上記外的要因の影響を低減するための複雑な制御が不要となり、安定して高精度に干渉像を記録することができる。しかも、光路シフタ２０を設けるという簡単な構成で、記録媒体７に干渉像を精度よく多重記録することができる。
【００５８】
また、光路シフタ２０の偏向手段２１の１回転によって、情報光Ｌ１の記録媒体７への入射位置（照射スポット）は、フーリエ変換光学系４の光軸を中心に円状にシフトするが、本実施形態のように、記録媒体７に入射する参照光Ｌ２が平行光であれば、参照光Ｌ２の光束径を、偏向手段２１の１回転の間に記録媒体７に照射される情報光Ｌ１の照射スポットの全領域を覆う光束径にすることが容易である。これにより、偏向手段２１の回転によって複数の干渉像を記録媒体７に記録する場合でも、各干渉像に対応する情報光を全て（偏向手段２１の所定角度の回転ごとに記録媒体７に入射する情報光Ｌ１を全て）、同一方向から入射する参照光Ｌ２と干渉させて干渉像を記録することができる。その結果、各干渉像の記録ごとに、参照光Ｌ２の記録媒体７への入射角度や入射位置を変化させる必要がなくなり、装置の構成を簡素化することができる。
【００５９】
また、本実施形態では、偏向手段２１によって情報光Ｌ１の光路をフーリエ変換光学系４の光軸とは垂直な方向に平行移動させながら、シフタ駆動部２２によって偏向手段２１をフーリエ変換光学系４の光軸回りに回転させるので、記録媒体７をシフトさせることなく、複数の干渉像を上記光軸回りに確実に多重記録することができる。
【００６０】
また、本実施形態では、偏向手段２１の一方のプリズム３１ｂは、他方のプリズム３１ａをフーリエ変換光学系４の光軸回りに１８０度回転させたものと上記光軸に垂直な面に対して面対称となるように配置されているので、変調手段３からフーリエ変換光学系４を介して偏向手段２１に入射した光線を全て（変調手段３の各画素で回折された光線も含む）、フーリエ変換光学系４の光軸と垂直な方向で、かつ、同じ方向に平行移動させることができる。したがって、情報光Ｌ１の光路シフトによる収差の増大はなく、光路シフトに伴って性能劣化が生じるのを回避することができる。
【００６１】
また、本実施形態では、光路シフタ２０の偏向手段２１の一対の偏向光学素子として、一般的な光学素子であるプリズムペア（プリズム３１ａ・３１ｂ）を用いているので、安価に、しかも精度よく偏向手段２１を構成することができる。
【００６２】
なお、偏向手段２１を構成する偏向光学素子は、上記プリズムペアに限定されるわけではなく、他の光学素子で構成されてもよい。このような他の光学素子としては、例えば、回折光学素子（ＤＯＥ）、音響光学素子偏向器（ＡＯＤ）、電気光学偏向器（ＥＯＤ）などがある。ただし、これらの光学素子は、フーリエ変換光学系４のＮＡが大きい場合、球面収差が大きくなるなど、結像性能が著しく劣化する可能性があるので、ＮＡの小さい光学系で使用することが望ましい。
【００６３】
また、本実施形態では、ディスク駆動部８を、情報光Ｌ１の光路が光路シフタ２０によってフーリエ変換光学系４の光軸回りに１回転するごとに、記録媒体７をシフトさせる記録媒体シフト手段として用いている。このように、光路シフタ２０による光路シフトと併せて、ディスク駆動部８による記録媒体７のシフトを行うことにより、記録媒体７のシフトのみによって多重記録を行う場合に比べて、記録媒体７の少ないシフト回数で同一記録密度を実現することができる。したがって、回転時の記録媒体の状態が記録に与える悪影響を極力低減した状態で、干渉像を高密度に多重記録することができる。
【００６４】
なお、ディスク駆動部８による記録媒体７のシフト量は、複数の干渉像をデータとして分離して記録および再生できるシフト量、言い換えれば、記録媒体７に複数の干渉像が同一位置に記録されることのないシフト量であれば、どのように設定されてもよい。
【００６５】
ところで、図６は、情報記録装置の他の構成例を示す説明図である。同図に示すように、光路シフタ２０は、フーリエ変換光学系４と記録媒体７との間の光路中のみならず、分離光学系２（図２参照）と記録媒体７との間の光路中にも共通して配置されるような形状および大きさ、つまり、上記両方の光路を横切る形状および大きさで形成されていてもよい。
【００６６】
このように光路シフタ２０を構成、配置することで、フーリエ変換光学系４から記録媒体７に導かれる情報光Ｌ１の光路と、分離光学系２にて分離されて記録媒体７に導かれる参照光Ｌ２の光路とを両方とも、干渉像の記録ごとに、フーリエ変換光学系４の光軸と垂直な方向にずらした状態で上記光軸回りにシフトさせることが可能となる。しかも、上記両者の光路をシフトさせた状態で、情報光Ｌ１と参照光Ｌ２とを干渉させることが可能となる。
【００６７】
上述したように、参照光Ｌ２の光束径が、偏向手段２１の１回転の間に記録媒体７に照射される情報光Ｌ１の照射スポットの全領域を覆う光束径となっている場合、参照光Ｌ２の記録媒体７への入射方向は、全ての干渉像の記録において同一方向であるため、情報の再生時に参照光Ｌ２を記録媒体７に照射したときに、読み出そうとする干渉像以外の干渉像からの再生光がノイズとして発生し、読み出しエラーとなる可能性が生じる。この読み出しエラーを低減する方法としては、例えば、非特許文献１に記載されているように、変調手段の１６画素中の３画素のみを表示させる３／１６変調を利用する方法がある。また、光学的には、再生時の参照光の光路において、照射位置が所定の記録スポット位置となるように位置可変絞りや偏向手段を設けることでも対応可能である。また、記録時に参照光を空間変調素子などによってスポット位置に応じて変調し、再生時にも同じ変調を参照光に施すことでも対応可能である。
【００６８】
これに対して、図６の構成では、参照光Ｌ２の記録媒体７への入射位置は、干渉像の記録ごとに異なるので、情報の再生時に参照光Ｌ２を記録媒体７に照射したときに、読み出そうとする干渉像（再生時の参照光Ｌ２と同じ方向から入射した参照光Ｌ２と情報光Ｌ１との干渉によって記録された干渉像）の情報のみを再生することが可能となる。その結果、上述のような措置を講じなくても、読み出しエラーを低減することが可能となる。
【００６９】
なお、本実施形態では、変調手段３として、透過型の空間位相変調器を用いた場合について説明したが、反射型の空間位相変調器（例えば反射型の液晶表示素子やＤＭＤ（Digital Micromirror Device；米国テキサスインスツルメント社製））を用いることもできる。
【００７０】
なお、変調手段３の画素ピッチが小さいと、その画素で回折される光の回折角が大きくなるので、記録媒体７に記録される干渉像の記録スポット径は大きくなる。一方、記録媒体７に情報を高密度で記録するためには、干渉像の記録スポット径を小さくする必要があるが、このためには変調手段の画素ピッチを大きくする必要がある。したがって、変調手段の画素ピッチ（画素数）および記録媒体７での記録密度については、互いのバランスを考えて設定することが必要である。
【００７１】
〔実施の形態２〕
本発明の他の実施の形態について、図面に基づいて説明すれば、以下の通りである。なお、以下での説明の便宜上、実施の形態１と同一の構成には同一の部材番号を付記し、その説明を省略する。
【００７２】
図７は、本実施形態に係る情報記録装置の全体の構成を示す説明図である。この情報記録装置は、光源１と、照明光学系４１と、偏光分離素子（ＰＢＳ）４２と、変調手段３と、１／４波長板４３と、フーリエ変換光学系４と、光路シフタ５０と、読出手段６と、ディスク駆動部８とを備えている。なお、本実施形態では、光源１は、Ｓ偏光を出射するものとし、読出手段６は、変調手段３と光学的に共役な位置に配置されているものとする。また、記録媒体７は、記録層７ａの下層に反射層７ｂが設けられた反射型とする。
【００７３】
照明光学系４１は、光源１から出射される光を平行光に変換して出射するコリメータレンズで構成されている。ＰＢＳ４２は、入射光をその偏光状態に応じて透過または反射させる偏光分離素子であり、本実施形態では、Ｐ偏光を透過させ、Ｓ偏光を反射させる。ＰＢＳ４２は、光源１から変調手段３に向かう光の光路中、および変調手段３からフーリエ変換光学系４に向かう光の光路中に配置されている。
【００７４】
変調手段３は、光源１から出射される光の一部を変調し、記録媒体７に記録すべき情報を有する情報光として出射するとともに、上記光の残りを参照光として出射するものである。本実施形態では、変調手段３は、複数の画素をマトリクス状に有する反射型の光変調素子（例えば反射型ＬＣＤやＤＭＤ）で構成されている。したがって、変調手段３は、記録媒体７に記録すべき情報をページデータとして２次元的に表示し、そのページデータが有する情報を含む光を情報光として出射することが可能である。また、反射型の光変調素子は、透過型の光変調素子に比べて開口率が高く、また低コストで得られる。したがって、変調手段３を反射型で構成することにより、光の利用効率を上げることができるとともに、低コストで変調手段３を構成することができる。
【００７５】
ここで、図８は、変調手段３の光入射領域３ａを示す平面図である。同図に示すように、光入射領域３ａは、第１の入射領域３ａ1と、第２の入射領域３ａ2とに分割されている。第１の入射領域３ａ1には、光源１から出射される光の一部が入射し、第２の入射領域３ａ2には、上記光の残りが入射する。したがって、第１の入射領域３ａ1からは情報光が出射され、第２の入射領域３ａ2からは参照光が出射される。本実施形態では、第１の入射領域３ａ1および第２の入射領域３ａ2は、同心円状に分割されており、第１の入射領域３ａ1が内側で、第２の入射領域３ａ2がその外側に位置している。
【００７６】
なお、変調手段３は、第２の入射領域３ａ2に入射する光を変調して参照光として出射してもよい。記録媒体７に記録された情報の再生時には、記録時に用いた参照光と同一の参照光を記録媒体７に照射する必要があるため、記録時に変調した参照光を用いることにより、再生時にも同じように変調した参照光を用いる必要が生じ、他の参照光の照射では記録媒体７に記録されている情報を再生することが不可能となる。言い換えれば、上記のように記録時に変調した参照光を用いることで、記録媒体７に記録されている情報のセキュリティー性を向上させることができ、再生時に容易に記録媒体７の記録情報が再生されないようにすることができる。したがって、変調手段３は、光源１から出射される光のうちで第２の入射領域３ａ2に入射する光を必要に応じて変調すればよいと言える。
【００７７】
１／４波長板４３は、変調手段３からＰＢＳ４２を介して入射する直線偏光（例えばＰ偏光）を円偏光に変換する一方、記録媒体７からフーリエ変換光学系４を介して入射する円偏光を、上記の直線偏光とは偏光方向が直交する直線偏光（例えばＳ偏光）に変換する。
【００７８】
光路シフタ５０は、実施の形態１と同様に、フーリエ変換光学系４から記録媒体７に導かれる光の光路を、干渉像の記録ごとに、フーリエ変換光学系４の光軸と垂直な方向にずらした状態で上記光軸回りにシフトさせるものである。なお、光路シフタ５０の詳細については後述する。
【００７９】
上記の構成において、光源１から出射される光（例えばＳ偏光）は、照明光学系４１にて平行光に変換され、ＰＢＳ４２にて反射されて変調手段３に入射する。変調手段３では、第１の入射領域３ａ1に入射した光が変調され、情報光として出射される。一方、第２の入射領域３ａ2に入射した光はそのまま反射され、参照光として出射される。変調手段３から出射される情報光および参照光（ともにＰ偏光）は、ＰＢＳ４２に入射してそこを透過し、１／４波長板４３で円偏光に変換され、フーリエ変換光学系４にてフーリエ変換された後、光路シフタ５０を介して記録媒体７の記録層７ａに照射、集光される。記録媒体７の記録層７ａでは、照射された情報光と参照光とが干渉することにより、干渉像が記録される。
【００８０】
一方、情報の再生時には、光源１から出射される光（例えばＳ偏光）は、照明光学系４１にて平行光に変換され、ＰＢＳ４２にて反射されて変調手段３に入射する。ここで、変調手段３の第１の入射領域３ａ1に入射した光は変調手段３にて変調されず、ＰＢＳ４２の方向には出射されない。一方、変調手段３の第２の入射領域３ａ2に入射した光はそのまま反射され、参照光として出射される。すなわち、この参照光は、記録時と同一の光である。変調手段３から出射される参照光（Ｐ偏光）は、ＰＢＳ４２に入射してそこを透過し、１／４波長板４３で円偏光に変換され、フーリエ変換光学系４および光路シフタ５０を介して記録媒体７の記録層７ａに照射、集光される。すると、記録媒体７の記録層７ａからは、干渉像として記録されている情報を有する光が再生される。
【００８１】
記録媒体７から得られる再生光は、再び光路シフタ５０を介してフーリエ変換光学系４に入射し、そこで逆フーリエ変換され、１／４波長板４３にて記録媒体７への照射時とは偏光方向が直交する方向のＳ偏光に変換され、ＰＢＳ４２にて反射されて読出手段６に入射する。読出手段６では、記録媒体７からの再生光を読出面にて受光することで、記録媒体７に干渉像として記録されている情報が読み出される。
【００８２】
なお、本実施形態では、変調手段３は、光源１から出射される光の一部を検索情報に応じて変調して出射することが可能である。変調手段３によって検索情報に応じて変調された光がフーリエ変換光学系４を介して記録媒体７に照射されたときには、読出手段６は、上記光のフーリエ像と記録媒体７の干渉像との相関演算結果を含む記録媒体７からの再生光を読出面にて受光することになる。したがって、その相関演算結果に基づき、記録媒体７に所望の情報が記録されているか否かを判断（検索）することが可能となる。
【００８３】
次に、本実施形態の光路シフタ５０について説明する。図９は、本実施形態の情報記録装置の主要部の構成を模式的に示す説明図であり、図１０は、光路シフタ５０の後述する偏向光学素子６１の概略の構成を示す断面図である。
【００８４】
光路シフタ５０は、偏向手段５１と、シフタ駆動部５２とで構成されている。シフタ駆動部５２は、実施の形態１のシフタ駆動部２２と同様に、干渉像の記録ごとに、フーリエ変換光学系４の光軸回りに偏向手段５１を回転させる駆動手段である。
【００８５】
偏向手段５１は、フーリエ変換光学系４から記録媒体７に導かれる光の光路を、フーリエ変換光学系４の光軸と垂直な方向に平行移動させるものであり、本実施形態では、偏向光学素子６１としての一対のＤＯＥ６１ａ・６１ｂと、保持枠６２とで構成されている。
【００８６】
ＤＯＥ６１ａ・６１ｂは、ともに片面にブレーズが形成された回折光学素子であり、互いに同一形状で、かつ、ブレーズが形成された面６１ａ1・６１ｂ1同士が空隙を介して対向するように配置されている。しかも、ＤＯＥ６１ｂは、ＤＯＥ６１ａをフーリエ変換光学系４の光軸回りに１８０度回転させたものと上記光軸に垂直な面に対して面対称となるように配置されている。なお、面６１ａ1・６１ｂ1に形成されるブレーズは、フーリエ変換光学系４のＮＡが小さい場合は均一なものでよいが、ＮＡが大きくなると、光学収差が大きくならないよう形成される必要がある。
【００８７】
保持枠６２は、ＤＯＥ６１ａ・６１ｂを保持する枠であり、フーリエ変換光学系４の光軸回りに沿って形成されている。したがって、ＤＯＥ６１ａ・６１ｂは、保持枠６２よりも内側（上記光軸側）に位置している。
【００８８】
このように光路シフタ５０を構成することで、フーリエ変換光学系４からの光（情報光および参照光）は、偏向手段５１のＤＯＥ６１ａ・６１ｂにて一方向に回折される。その結果、上記光の光路はフーリエ変換光学系４の光軸に垂直な方向に平行シフトする。したがって、シフタ駆動部５２により、干渉像の記録ごとに、フーリエ変換光学系４の光軸を回転軸として偏向手段５１を回転させることにより、干渉像の記録位置を上記光軸回りにシフトさせることができる。
【００８９】
以上のように、本実施形態においても、フーリエ変換光学系４から出射される光の光路は、光路シフタ５０により、干渉像の記録ごとに、フーリエ変換光学系４の光軸と垂直な方向にずれた状態で、その光軸回りにシフトされる。これにより、記録媒体７を静止させた状態で、干渉像を多重記録することができるので、実施の形態１と同様に、複雑な制御を不要として、簡単な構成で記録媒体に干渉像を精度よく多重記録することができる。
【００９０】
また、変調手段３の光入射領域３ａは、第１の入射領域３ａ1と第２の入射領域３ａ2とに分割されている。このように、１つの光入射領域３ａを、情報光生成用（第１の入射領域３ａ1）と参照光生成用（第２の入射領域３ａ2）とに分割して使用することにより、変調手段３から出射される情報光と参照光とを同軸で記録媒体に導くことができる。したがって、互いの光路が離れた状態で情報光と参照光とを記録媒体７に導く構成に比べて、装置をコンパクトに構成することができる。
【００９１】
また、本実施形態では、偏向手段５１の偏向光学素子６１が、一対のＤＯＥ６１ａ・６１ｂで構成されているので、偏向手段５１を容易に薄型化することができ、偏向手段５１自体をコンパクトに構成することができる。
【００９２】
ところで、図１１は、偏向光学素子６１の他の構成例を示す断面図である。同図に示すように、偏向光学素子６１は、両面ブレーズ型の１個のＤＯＥ６１ｃで構成されていてもよい。つまり、ＤＯＥ６１ｃは、その光入射側の面６１ｃ1および光射出側の面６１ｃ2にブレーズがそれぞれ形成された回折光学素子である。ＤＯＥ６１ｃにおいては、光射出側の面６１ｃ2は、光入射側の面６１ｃ1をフーリエ変換光学系４の光軸回りに１８０度回転させたものと上記光軸に垂直な面に対して面対称となるように配置されている。
【００９３】
このように、偏向光学素子６１を１個のＤＯＥ６１ｃで構成しても、変調手段３からフーリエ変換光学系４を介してＤＯＥ６１ｃに入射した光線を全て、フーリエ変換光学系４の光軸と垂直な方向で、かつ、同じ方向に平行移動させることができる。したがって、光路シフトによる収差の増大もなく、光路シフトによる性能劣化は生じない。また、１個のＤＯＥ６１ｃを用いることで上記効果を得ることができるので、偏向手段５１の構成を簡素化することができる。
【００９４】
なお、本実施形態では、変調手段３の第１の入射領域３ａ1および第２の入射領域３ａ2を同心円状に形成した例について説明したが、他の形状で形成してもよい。例えば図１２に示すように、変調手段３の円形の光入射領域３ａを、フーリエ変換光学系４の光軸を含む面で２分割して形成される、半円状の一方の領域を第１の入射領域３ａ1とし、半円状の他方の領域を第２の入射領域３ａ2としてもよい。
【００９５】
このように、第１の入射領域３ａ1および第２の入射領域３ａ2が、フーリエ変換光学系４の光軸を含む面で対称となる形状で形成されていれば、変調手段３の第１の入射領域３ａ1から出射される情報光と第２の入射領域３ａ2から出射される参照光とは、隣接した光路で記録媒体７に導かれるので、装置をコンパクトに構成することができる。
【００９６】
なお、本実施形態では、変調手段３として反射型のものを用い、かつ、記録媒体７として反射型のものを用いたが、これらを透過型で構成した場合でも、本発明を適用することは勿論可能である。
【００９７】
なお、以上の各実施の形態で説明した構成を適宜組み合わせて情報記録装置を構成することも勿論可能である。
【図面の簡単な説明】
【００９８】
【図１】本発明の実施の一形態に係る情報記録装置の主要部の概略の構成を示す説明図である。
【図２】上記情報記録装置の全体の構成を示す説明図である。
【図３】上記情報記録装置が有する光路シフタの偏向手段を回転させる前後における、記録媒体に入射する光の光路を示す説明図である。
【図４】上記偏向手段を回転させて複数の干渉像を多重記録していく様子を模式的に示す平面図である。
【図５】記録媒体を回転させる前後で記録された複数の干渉像の記録スポットを模式的に示す平面図である。
【図６】上記情報記録装置の他の構成例を示す説明図である。
【図７】本発明の他の実施の形態に係る情報記録装置の全体の構成を示す説明図である。
【図８】上記情報記録装置が有する変調手段の光入射領域の一分割例を示す平面図である。
【図９】上記情報記録装置の主要部の構成を模式的に示す説明図である。
【図１０】上記情報記録装置が有する光路シフタの偏向光学素子の概略の構成を示す断面図である。
【図１１】上記偏向光学素子の他の構成例を示す断面図である。
【図１２】上記変調手段の光入射領域の他の分割例を示す平面図である。
【図１３】従来の情報記録装置の主要部の構成を模式的に示す説明図である。
【図１４】従来の他の情報記録装置の主要部の構成を模式的に示す斜視図である。
【図１５】記録媒体をシフトさせて干渉像を多重記録する様子を模式的に示す断面図である。
【図１６】記録スポットが螺旋状に並ぶように記録媒体をシフトさせて干渉像を多重記録した記録媒体の平面図である。
【図１７】記録スポットが同心円状に並ぶように記録媒体をシフトさせて干渉像を多重記録した記録媒体の平面図である。
【符号の説明】
【００９９】
１      光源
２      分離光学系
３      変調手段
３ａ1   第１の入射領域
３ａ2   第２の入射領域
４      フーリエ変換光学系
７      記録媒体
８      ディスク駆動部（記録媒体シフト手段）
２０      光路シフタ（光路シフト手段）
２１      偏向手段
２２      シフタ駆動部（駆動手段）
３１ａ    プリズム（偏向光学素子）
３１ｂ    プリズム（偏向光学素子）
５０      光路シフタ（光路シフト手段）
５１      偏向手段
５２      シフタ駆動部（駆動手段）
６１ａ    ＤＯＥ（偏向光学素子、回折光学素子）
６１ｂ    ＤＯＥ（偏向光学素子、回折光学素子）
６１ｃ    ＤＯＥ（偏向光学素子、回折光学素子）
Ｌ１    情報光
Ｌ２    参照光
【図１】
2008070419.tif 000003
【図２】
2008070419.tif 000004
【図３】
2008070419.tif 000005
【図４】
2008070419.tif 000006
【図５】
2008070419.tif 000007
【図６】
2008070419.tif 000008
【図７】
2008070419.tif 000009
【図８】
2008070419.tif 000010
【図９】
2008070419.tif 000011
【図１０】
2008070419.tif 000012
【図１１】
2008070419.tif 000013
【図１２】
2008070419.tif 000014
【図１３】
2008070419.tif 000015
【図１４】
2008070419.tif 000016
【図１５】
2008070419.tif 000017
【図１６】
2008070419.tif 000018
【図１７】
2008070419.tif 000019